(57)【要約】【課題】測定対象の状態が変化した場合でも酸素飽和度を高精度に特定する。【解決手段】第１波長の光を測定部位に出射する第１発光部と、前記第１波長とは異なる第２波長の光を前記測定部位に出射する第２発光部と、前記測定部位の内部を通過した光を受光して検出信号を生成する受光部と、前記検出信号から酸素飽和度を算定する解析処理部とを具備し、前記第１発光部および前記第２発光部の各々による発光位置と前記受光部による受光位置との距離は可変である測定装置。【選択図】図２
2018011648.tif 000002
【特許請求の範囲】
【請求項１】
第１波長の光を測定部位に出射する第１発光部と、
前記第１波長とは異なる第２波長の光を前記測定部位に出射する第２発光部と、
前記測定部位の内部を通過した光を受光して検出信号を生成する受光部と、
前記検出信号から酸素飽和度を算定する解析処理部とを具備し、
前記第１発光部および前記第２発光部の各々による発光位置と前記受光部による受光位置との距離は可変である
測定装置。
【請求項２】
前記解析処理部は、
前記検出信号における定常成分に対する変動成分の信号成分比を算定する第１処理部と、
前記信号成分比から前記酸素飽和度を特定する第２処理部とを含む
請求項１の測定装置。
【請求項３】
前記信号成分比が第１閾値を下回る場合に、前記発光位置と前記受光位置との距離を増加させる測定制御部
を具備する請求項２の測定装置。
【請求項４】
前記測定制御部は、前記第１閾値を上回る第２閾値を前記信号成分比が上回る場合に、前記発光位置と前記受光位置との距離を減少させる
請求項３の測定装置。
【請求項５】
前記受光部は、前記第１発光部および前記第２発光部からの距離が相違する複数の受光素子を含み、
前記測定制御部は、前記複数の受光素子の何れかを選択することで前記発光位置と前記受光位置との距離を変化させる
請求項３または請求項４の測定装置。
【請求項６】
前記第１発光部および前記第２発光部の各々は、前記受光部からの距離が相違する複数の発光素子を含み、
前記測定制御部は、前記第１発光部および前記第２発光部の各々について、前記複数の発光素子の何れかを選択的に発光させることで前記発光位置と前記受光位置との距離を変化させる
請求項３から請求項５の何れかの測定装置。
【請求項７】
前記発光位置と前記受光位置との距離は、利用者による操作で変更可能であり、
前記信号成分比が第１閾値を下回る場合に、前記発光位置と前記受光位置との距離を増加させる指示を利用者に報知する操作指示部
を具備する請求項２の測定装置。
【請求項８】
前記操作指示部は、前記第１閾値を上回る第２閾値を前記信号成分比が上回る場合に、前記発光位置と前記受光位置との距離を減少させる指示を利用者に報知する
請求項７の測定装置。
【請求項９】
前記測定部位の皮膚温度または環境温度を参照温度として検出する温度検出部と、
前記参照温度が閾値を下回る場合に、前記発光位置と前記受光位置との距離を増加させる測定制御部と
を具備する請求項１の測定装置。
【請求項１０】
前記測定部位の皮膚温度または環境温度を参照温度として検出する温度検出部と、
前記参照温度が閾値を下回る場合に、前記発光位置と前記受光位置との距離を増加させる指示を利用者に報知する操作指示部と
を具備する請求項１の測定装置。
【請求項１１】
酸素飽和度の測定に使用される検出信号を生成する検出装置であって、
第１波長の光を測定部位に出射する第１発光部と、
前記第１波長とは異なる第２波長の光を前記測定部位に出射する第２発光部と、
前記測定部位の内部を通過した光を受光して検出信号を生成する受光部とを具備し、
前記第１発光部および前記第２発光部の各々による発光位置と前記受光部による受光位置との距離は可変である
検出装置。
【発明の詳細な説明】
【技術分野】
【０００１】
本発明は、酸素飽和度等の生体情報を測定するための技術に関する。
【背景技術】
【０００２】
酸素飽和度等の生体情報を非侵襲で測定する各種の測定技術が従来から提案されている。例えば特許文献１には、生体を通過した発光体要素からの出射光を受光体要素により受光することで酸素飽和度を測定する構成が開示されている。所望の測定精度が実現されるように発光体要素と受光体要素との距離は選定される。測定対象からの受光レベルを示す検出信号のうち定常成分に対する変動成分（脈動成分）の信号成分比に応じて酸素飽和度を推定することが可能である。
【先行技術文献】
【特許文献】
【０００３】
【特許文献１】特開２０１３−５３３７７４号公報
【発明の概要】
【発明が解決しようとする課題】
【０００４】
ところで、測定対象となる生体の状態は随時に変動する。例えば、低温環境では血流量が減少した低潅流状態となり得る。低潅流状態では検出信号の信号成分比が低下するから、酸素飽和度の測定精度が低下するという問題がある。以上の事情を考慮して、本発明の好適な態様は、測定対象の状態が変化した場合でも酸素飽和度を高精度に特定することを目的とする。
【課題を解決するための手段】
【０００５】
以上の課題を解決するために、本発明の好適な態様の測定装置は、第１波長の光を測定部位に出射する第１発光部と、第１波長とは異なる第２波長の光を測定部位に出射する第２発光部と、測定部位の内部を通過した光を受光して検出信号を生成する受光部と、検出信号から酸素飽和度を算定する解析処理部とを具備し、第１発光部および第２発光部の各々による発光位置と受光部による受光位置との距離は可変である。以上の構成では、第１発光部および第２発光部の各々による発光位置と受光部による受光位置との距離が可変であるから、測定部位の状態が変化した場合（例えば低潅流状態）でも酸素飽和度を高精度に特定することが可能である。
【０００６】
本発明の好適な態様において、解析処理部は、検出信号における定常成分に対する変動成分の信号成分比を算定する第１処理部と、信号成分比から酸素飽和度を特定する第２処理部とを含む。以上の態様では、検出信号における定常成分と変動成分との信号成分比を利用して酸素飽和度を高精度に特定することが可能である。
【０００７】
本発明の好適な態様の測定装置は、信号成分比が第１閾値を下回る場合に、発光位置と受光位置との距離を増加させる測定制御部を具備する。以上の態様では、信号成分比が第１閾値を下回る場合に発光位置と受光位置との距離が増加するから、例えば低潅流状態でも酸素飽和度を高精度に測定することが可能である。また、第１閾値を上回る第２閾値を信号成分比が上回る場合に、発光位置と受光位置との距離を減少させる構成によれば、第１発光部および第２発光部を発光させるために必要な電力を削減することが可能である。
【０００８】
本発明の好適な態様において、第１発光部および第２発光部の各々は、受光部からの距離が相違する複数の発光素子を含み、測定制御部は、第１発光部および第２発光部の各々について、複数の発光素子の何れかを選択的に発光させることで発光位置と受光位置との距離を変化させる。以上の態様では、複数の発光素子の何れかを選択的に発光させる簡易な構成により、発光位置と受光位置との距離を変化させることが可能である。
【０００９】
本発明の好適な態様において、受光部は、第１発光部および第２発光部からの距離が相違する複数の受光素子を含み、測定制御部は、複数の受光素子の何れかを選択することで発光位置と受光位置との距離を変化させる。以上の態様では、複数の受光素子の何れかを選択する簡易な構成により、発光位置と受光位置との距離を変化させることが可能である。なお、複数の受光素子の何れかを選択する動作は、例えば、検出信号の生成を実行する受光素子を複数の受光素子から選択する動作、または、複数の受光素子が生成した検出信号の何れかを選択する動作である。
【００１０】
本発明の好適な態様において、発光位置と受光位置との距離は、利用者による操作で変更可能であり、信号成分比が第１閾値を下回る場合に、発光位置と受光位置との距離を増加させる指示を利用者に報知する操作指示部を具備する。以上の態様では、信号成分比が第１閾値を下回る場合に発光位置と受光位置との距離を増加させる指示が利用者に報知されるから、低潅流状態でも酸素飽和度を高精度に測定することが可能である。また、第１閾値を上回る第２閾値を信号成分比が上回る場合に、発光位置と受光位置との距離を減少させる指示を利用者に報知する構成によれば、第１発光部および第２発光部を発光させるために必要な電力を削減することが可能である。
【００１１】
本発明の好適な態様における測定装置は、測定部位の皮膚温度または環境温度を参照温度として検出する温度検出部と、参照温度が閾値を下回る場合に、発光位置と受光位置との距離を増加させる測定制御部とを具備する。以上の態様では、参照温度が閾値を下回る場合に、発光位置と受光位置との距離が増加するから、例えば低潅流状態でも酸素飽和度を高精度に測定することが可能である。また、本発明の他の態様に係る測定装置は、測定部位の皮膚温度または環境温度を参照温度として検出する温度検出部と、参照温度が閾値を下回る場合に、発光位置と受光位置との距離を増加させる指示を利用者に報知する操作指示部とを具備する。以上の態様では、参照温度が閾値を下回る場合に、発光位置と受光位置との距離を増加させる指示が利用者に報知されるから、低潅流状態でも酸素飽和度を高精度に測定することが可能である。
【００１２】
本発明の好適な態様に係る検出装置は、酸素飽和度の測定に使用される検出信号を生成する検出装置であって、第１波長の光を測定部位に出射する第１発光部と、第１波長とは異なる第２波長の光を測定部位に出射する第２発光部と、測定部位の内部を通過した光を受光して検出信号を生成する受光部とを具備し、第１発光部および第２発光部の各々による発光位置と受光部による受光位置との距離は可変である。以上の構成では、第１発光部および第２発光部の各々による発光位置と受光部による受光位置との距離が可変であるから、測定部位の状態が変化した場合（例えば低潅流状態）でも、酸素飽和度を高精度に特定可能な検出信号を生成することが可能である。
【図面の簡単な説明】
【００１３】
【図１】本発明の第１実施形態に係る測定装置の側面図である。
【図２】測定装置の機能に着目した構成図である。
【図３】検出装置の平面図である。
【図４】解析処理部の構成図である。
【図５】信号成分比と測定誤差との関係を示すグラフである。
【図６】発受光間距離と信号成分比との関係を示すグラフである。
【図７】皮膚温度と信号成分比との関係を示すグラフである。
【図８】測定制御部が発受光間距離を設定する処理のフローチャートである。
【図９】酸素飽和度と変動比との関係を示すグラフである。
【図１０】第２実施形態における検出装置の平面図である。
【図１１】第３実施形態における検出装置の平面図および断面図である。
【図１２】第３実施形態における測定装置の機能的な構成図である。
【図１３】操作指示部が変更指示を利用者に報知する処理のフローチャートである。
【図１４】第４実施形態における検出装置の平面図および断面図である。
【図１５】第５実施形態における測定装置の構成図である。
【図１６】第６実施形態における測定装置の構成図である。
【発明を実施するための形態】
【００１４】
＜第１実施形態＞
図１は、本発明の第１実施形態に係る測定装置１００の側面図である。第１実施形態の測定装置１００は、被験者の生体情報を非侵襲的に測定する生体計測機器であり、被験者の身体のうち測定対象となる部位（以下「測定部位」という）Ｍに装着される。第１実施形態の測定装置１００は、筐体部１２とベルト１４とを具備する腕時計型の携帯機器であり、測定部位Ｍの例示である手首に帯状のベルト１４を巻回することで被験者の手首に装着可能である。第１実施形態の測定装置１００は、被験者の手首の表面に接触する。第１実施形態では酸素飽和度（ＳｐＯ２）を生体情報として例示する。酸素飽和度は、被験者の血液中のヘモグロビンのうち酸素と結合したヘモグロビンの割合（％）を意味し、被験者の呼吸機能を評価するための指標である。
【００１５】
図２は、測定装置１００の機能に着目した構成図である。図２に例示される通り、第１実施形態の測定装置１００は、制御装置２０と記憶装置２２と表示装置２４と操作装置２６と検出装置２８Aとを具備する。制御装置２０および記憶装置２２は筐体部１２の内部に設置される。図１に例示される通り、表示装置２４（例えば液晶表示パネル）は、筐体部１２の表面（例えば測定部位Ｍとは反対側の表面）に設置され、測定結果を含む各種の画像を制御装置２０による制御のもとで表示する。操作装置２６は、利用者（例えば被験者または測定者）からの操作を受付ける入力機器である。例えば、利用者が操作可能な複数の操作子、または表示装置２４の表示面に対する接触を検知するタッチパネルが操作装置２６として好適に利用される。
【００１６】
図２の検出装置２８Aは、測定部位Ｍの状態に応じた検出信号Ｐを生成するセンサーモジュールであり、例えば筐体部１２のうち測定部位Ｍとの対向面に設置される。図２に例示される通り、第１実施形態の検出装置２８Aは、第１発光部３１と第２発光部３２と受光部３５と駆動回路３７とＡ/Ｄ変換器３８とを具備する。
【００１７】
第１発光部３１および第２発光部３２の各々は、測定部位Ｍに対して光を出射する光源である。第１発光部３１は、波長λ1（第１波長の例示）の光を測定部位Ｍに出射する。第２発光部３２は、波長λ1とは異なる波長λ2（第２波長の例示）の光を測定部位Ｍに出射する。第１実施形態では、第１発光部３１が赤色光（例えばλ1＝６００ｎｍ〜８００ｎｍ）を出射し、第２発光部３２が近赤外光（例えばλ2＝８００ｎｍ〜１３００ｎｍ）を出射する場合を便宜的に想定する。ただし、波長λ1および波長λ2の具体的な数値は以上の例示に限定されない。駆動回路３７は、駆動電流の供給により第１発光部３１および第２発光部３２の各々を発光させる。
【００１８】
第１発光部３１および第２発光部３２の各々からの出射光は、測定部位Ｍに入射するとともに測定部位Ｍの内部で反射および散乱を繰返したうえで筐体部１２側に出射して受光部３５に到達する。すなわち、第１実施形態の検出装置２８Aは、第１発光部３１と第２発光部３２と受光部３５とが測定部位Ｍに対して一方側に位置する反射型の光学センサーである。受光部３５は、測定部位Ｍから到達する光の受光レベルに応じた検出信号Ｐを生成する。拡張時と収縮時とで血管内の血液による吸光量は相違するから、測定部位Ｍからの受光レベルに応じて受光部３５が生成する検出信号Ｐは、測定部位Ｍの内部の動脈の脈動成分（容積脈波）に対応した周期的な変動成分を含む脈波信号である。Ａ/Ｄ変換器３８は、受光部３５が生成した検出信号Ｐをアナログからデジタルに変換する。
【００１９】
図３は、検出装置２８Aの平面図である。筐体部１２のうち測定部位Ｍとの対向面に、相互に直交するＸ軸とＹ軸とを想定する。図３に例示される通り、第１実施形態では、第１発光部３１が１個の発光素子ＥAで構成され、第２発光部３２が１個の発光素子ＥBで構成される。発光素子ＥAおよび発光素子ＥBの各々は、例えば発光ダイオード（ＬＥＤ：Light Emitting Diode）である。発光素子ＥAと発光素子ＥBとはＹ軸方向に配列する。
【００２０】
図３に例示される通り、第１実施形態の受光部３５は、複数の受光素子Ｒ[n]で構成される（ｎ＝１,２,３）。各受光素子Ｒ[n]は、例えば、測定部位Ｍに対向する受光面で光を受光するフォトダイオード（ＰＤ：Photo Diode）である。複数の受光素子Ｒ[n]は、第１発光部３１および第２発光部３２からみてＸ方向の正側の領域に、相互に間隔をあけてＸ方向に配列する。したがって、発光素子ＥA（第１発光部３１による発光位置）と複数の受光素子Ｒ[n]の各々（受光部３５による受光位置）との距離は相違する。同様に、発光素子ＥB（第２発光部３２による発光位置）と複数の受光素子Ｒ[n]の各々との距離は相違する。以上の構成において、複数の受光素子Ｒ[n]の各々が受光レベルに応じた検出信号Ｐを生成可能であるが、第１実施形態では、複数の受光素子Ｒ[n]の何れかが生成した検出信号Ｐが酸素飽和度の算定に選択的に利用される。なお、第１発光部３１および第２発光部３２と受光部３５との間には、第１発光部３１または第２発光部３２から直接的に受光部３５側に進行する光を遮光する遮光壁１８が設置される。
【００２１】
図２の制御装置２０は、ＣＰＵ（Central Processing Unit）またはＦＰＧＡ（Field-Programmable Gate Array）等の演算処理装置であり、測定装置１００の全体を制御する。記憶装置２２は、例えば不揮発性の半導体メモリーで構成され、制御装置２０が実行するプログラムと制御装置２０が使用する各種のデータとを記憶する。第１実施形態の制御装置２０は、記憶装置２２に記憶されたプログラムを実行することで、被験者の酸素飽和度を特定するための複数の機能（解析処理部４２，情報報知部４４，測定制御部４６）を実現する。なお、制御装置２０の機能を複数の集積回路に分散した構成、または、制御装置２０の一部または全部の機能を専用の電子回路で実現した構成も採用され得る。また、図２では制御装置２０と記憶装置２２とを別体の要素として図示したが、記憶装置２２を内包する制御装置２０を例えばＡＳＩＣ（Application Specific Integrated Circuit）等により実現することも可能である。
【００２２】
解析処理部４２は、検出装置２８A（受光部３５）が生成した検出信号Ｐから被験者の酸素飽和度を算定する。情報報知部４４は、解析処理部４２が算定した酸素飽和度を利用者に報知する。具体的には、情報報知部４４は、酸素飽和度を測定結果として表示装置２４に表示させる。なお、情報報知部４４が音声出力で測定結果を利用者に報知することも可能である。解析処理部４２による酸素飽和度の算定と情報報知部４４による酸素飽和度の報知とは、例えば所定の時間毎に反復的に実行される。なお、酸素飽和度が所定の範囲外の数値に変動した場合に、情報報知部４４が利用者に警告（呼吸機能の障害の可能性）を報知する構成も好適である。
【００２３】
第１実施形態の解析処理部４２は、検出信号Ｐから算定される変動比Φと酸素飽和度との相関を利用して酸素飽和度を特定することが可能である。変動比Φは、以下の数式(1)で表現される通り、信号成分比Ｃ1に対する信号成分比Ｃ2の比率である。信号成分比Ｃ1は、第１発光部３１が波長λ1の光（赤色光）を出射したときの検出信号Ｐの変動成分Ｑ1(AC)と定常成分Ｑ1(DC)との強度比である。信号成分比Ｃ2は、第２発光部３２が波長λ2の光（近赤外光）を出射したときの検出信号Ｐの変動成分Ｑ2(AC)と定常成分Ｑ2(DC)との強度比である。変動成分Ｑ1(AC)および変動成分Ｑ2(AC)は、被験者の動脈の脈動に連動して周期的に変動する成分（脈波成分）であり、例えば検出信号Ｐの高域成分としてハイパスフィルターで抽出される。定常成分Ｑ1(DC)および定常成分Ｑ2(DC)は、時間的に定常的に維持される成分（直流成分）であり、例えば検出信号Ｐの低域成分としてローパスフィルターで抽出される。
【数１】
2018011648.tif 000003
【００２４】
図４は、第１実施形態の解析処理部４２の構成図である。図４に例示される通り、解析処理部４２は、第１処理部４２１と第２処理部４２２とを含んで構成される。第１処理部４２１は、数式(1)の信号成分比Ｃ1および信号成分比Ｃ2を検出信号Ｐから算定する。第１実施形態では、検出装置２８Aの駆動回路３７が、脈拍と比較して充分に短い周期で第１発光部３１と第２発光部３２とを時分割で交互に発光させる。第１処理部４２１は、第１発光部３１の発光時の検出信号Ｐから変動成分Ｑ1(AC)と定常成分Ｑ1(DC)とを算定し、定常成分Ｑ1(DC)に対する変動成分Ｑ1(AC)の強度比を信号成分比Ｃ1として算定する。同様に、第１処理部４２１は、第２発光部３２の発光時の検出信号Ｐから変動成分Ｑ2(AC)と定常成分Ｑ2(DC)とを算定し、定常成分Ｑ2(DC)に対する変動成分Ｑ2(AC)の強度比を信号成分比Ｃ2として算定する。なお、第１発光部３１および第２発光部３２の消灯時（すなわち太陽光や照明光等の環境光のみの受光時）の受光レベルを検出信号Ｐから減算したうえで変動成分Ｑ1(AC)および変動成分Ｑ2(AC)と定常成分Ｑ1(DC)および定常成分Ｑ2(DC)とを算定することも可能である。
【００２５】
図４の第２処理部４２２は、第１処理部４２１が算定した信号成分比Ｃ1および信号成分比Ｃ2から酸素飽和度Ｓを特定する。具体的には、第２処理部４２２は、信号成分比Ｃ1と信号成分比Ｃ2とを適用した数式(1)の演算で変動比Φを算定し、変動比Φの各数値と酸素飽和度Ｓの各数値との対応が登録された相関テーブルＴを参照して変動比Φに対応する酸素飽和度Ｓを特定する。相関テーブルＴを利用した酸素飽和度Ｓの特定については後述する。
【００２６】
図５は、信号成分比Ｃ1および信号成分比Ｃ2と酸素飽和度Ｓの測定誤差［％］との関係を示すグラフである。図５から理解される通り、信号成分比Ｃ（Ｃ1，Ｃ2）が高いほど酸素飽和度Ｓの測定誤差が低減されるという傾向がある。すなわち、変動成分Ｑ1(AC)が定常成分Ｑ1(DC)に対して大きいほど、または、変動成分Ｑ2(AC)が定常成分Ｑ2(DC)に対して大きいほど、酸素飽和度Ｓの測定誤差は低減される。例えば、測定誤差を４％以下に低減するためには、０.２を上回る信号成分比Ｃ1および信号成分比Ｃ2が必要である。
【００２７】
他方、図６は、発受光間距離ｄと信号成分比Ｃ1および信号成分比Ｃ2との関係を示すグラフである。発受光間距離ｄは、発光位置と受光位置との間の距離を意味する。図６では、通常の潅流状態（以下「通常状態」という）と低潅流状態との各々について発受光間距離ｄと信号成分比Ｃ（Ｃ1，Ｃ2）との関係が併記されている。図６から理解される通り、発受光間距離ｄと信号成分比Ｃとは相互に相関する。具体的には、発受光間距離ｄが増加するほど信号成分比Ｃが上昇するという傾向がある。したがって、酸素飽和度Ｓの測定誤差を充分に低減し得る信号成分比Ｃを確保するためには、発受光間距離ｄを増加させる必要がある。他方、第１発光部３１および第２発光部３２から出射して測定部位Ｍの内部を通過した光を充分な強度で受光位置に到達させるためには、発受光間距離ｄが大きいほど、第１発光部３１および第２発光部３２に供給すべき駆動電流の電流量を増加させる必要がある。以上の説明から理解される通り、発受光間距離ｄを増加させるほど、測定精度が向上する一方で消費電力が増加するという傾向がある。
【００２８】
また、図６から理解される通り、低潅流状態では通常状態と比較して、同等の発受光間距離ｄに対する信号成分比Ｃが低いという傾向がある。すなわち、低潅流状態において所望の信号成分比Ｃを確保するためには、通常状態と比較して発受光間距離ｄを増加させる必要がある。
【００２９】
以上の説明から理解される通り、通常状態において所望の信号成分比Ｃが確保できるように発受光間距離ｄを比較的に短い寸法に固定的に設定した場合には、消費電力を低減できる反面、低潅流状態のもとで充分な信号成分比Ｃを確保できず、酸素飽和度Ｓの測定誤差が低下するという問題がある。他方、低潅流状態のもとで所望の信号成分比Ｃが確保できるように発受光間距離ｄを比較的に長い寸法に固定的に設定した場合には、酸素飽和度Ｓを高精度に測定できる反面、通常状態のもとで必要以上に消費電力を浪費するという問題がある。以上の傾向を背景として、第１実施形態では、被験者の潅流状態に応じて発受光間距離ｄを変化させることが可能である。具体的には、低潅流状態では、通常状態と比較して発受光間距離ｄを増加させる。図２の測定制御部４６は、発受光間距離ｄを可変に制御する要素である。
【００３０】
図７は、測定部位Ｍの皮膚温度と信号成分比Ｃ1および信号成分比Ｃ2との関係を示すグラフである。皮膚温度が低下するほど被験者の潅流は低下する（すなわち血流量が減少する）から、図７の横軸に図示された皮膚温度は潅流の度合の指標として利用できる。図７に例示される通り、測定部位Ｍの皮膚温度（潅流の度合）と信号成分比Ｃとは相互に相関する。具体的には、測定部位Ｍの皮膚温度に連動して潅流が低下するほど、信号成分比Ｃが低下するという概略的な傾向が図７から確認できる。以上の傾向を考慮すると、解析処理部４２が検出信号Ｐから算定する信号成分比Ｃを、測定部位Ｍの潅流の度合の指標として利用することが可能である。具体的には、信号成分比Ｃが低いほど測定部位Ｍの潅流が低下した状態であると評価できる。以上の傾向を考慮して、第１実施形態の測定制御部４６は、信号成分比Ｃ1または信号成分比Ｃ2に応じて発受光間距離ｄを可変に制御する。
【００３１】
前述の通り、第１実施形態の受光部３５は、複数の受光素子Ｒ[n]で構成される。測定制御部４６は、受光部３５の複数の受光素子Ｒ[n]のうち解析処理部４２による酸素飽和度Ｓの特定に実際に利用する受光素子Ｒ[n]を選択することで発受光間距離ｄを変化させる。具体的には、図３に例示される通り、測定制御部４６が受光素子Ｒ[1]を選択することで発受光間距離ｄは距離ｄ1に設定される。同様に、受光素子Ｒ[2]の選択により発受光間距離ｄは距離ｄ2に設定され、受光素子Ｒ[3]の選択により発受光間距離ｄは距離ｄ3に設定される。
【００３２】
図８は、測定制御部４６が発受光間距離ｄを設定する処理（受光素子Ｒ[n]を選択する処理）のフローチャートである。例えば操作装置２６に対する操作で利用者が酸素飽和度Ｓの測定を指示した場合に図８の処理が開始される。
【００３３】
図８の処理を開始すると、測定制御部４６は、信号成分比Ｃ（信号成分比Ｃ1または信号成分比Ｃ2）が閾値ＣTH1を下回るか否かを判定する（ＳA1）。信号成分比Ｃが閾値ＣTH1を下回る場合（ＳA1：YES）、すなわち測定部位Ｍが低潅流状態にあると推定できる場合、測定制御部４６は、通常状態の場合と比較して発受光間距離ｄを増加させる（ＳA2）。具体的には、測定制御部４６は、受光素子Ｒ[3]を選択することで発受光間距離ｄを距離ｄ3に設定する。前述の通り、酸素飽和度Ｓの測定誤差を４％以内に低減するためには、信号成分比Ｃ1および信号成分比Ｃ2を０.２％以上に維持する必要がある。そこで、閾値ＣTH1（第１閾値の例示）は例えば０.２に設定される。図６から理解される通り、信号成分比Ｃが０.２である場合の発受光間距離ｄは約６ｍｍであるから、距離ｄ3は６ｍｍ以上（例えば７ｍｍ〜８ｍｍ）の寸法に設定される。以上の例示のように発受光間距離ｄが充分に確保されるから、低潅流状態でも充分な信号成分比Ｃを確保して高精度に酸素飽和度Ｓを測定することが可能である。
【００３４】
信号成分比Ｃが閾値ＣTH1を上回る場合（ＳA1：NO）、測定制御部４６は、信号成分比Ｃ（信号成分比Ｃ1または信号成分比Ｃ2）が閾値ＣTH2を上回るか否かを判定する（ＳA3）。閾値ＣTH2（第２閾値の例示）は、閾値ＣTH1を上回る数値であり（ＣTH2＞ＣTH1）、例えば０.４に設定される。信号成分比Ｃが閾値ＣTH2を上回る場合には、発受光間距離ｄを低潅流状態の場合と比較して短縮しても０.２％以上の信号成分比Ｃを確保することが可能である。そこで、信号成分比Ｃが閾値ＣTH2を上回る場合（ＳA3：YES）、測定制御部４６は、低潅流状態の場合と比較して発受光間距離ｄを減少させる（ＳA4）。具体的には、測定制御部４６は、受光素子Ｒ[1]を選択することで発受光間距離ｄを距離ｄ1に設定する。
【００３５】
他方、信号成分比Ｃが閾値ＣTH1と閾値ＣTH2との間の数値（ＣTH1≦Ｃ≦ＣTH2）である場合（ＳA3：NO）、測定制御部４６は、受光素子Ｒ[2]を選択することで発受光間距離ｄを距離ｄ2に設定する（ＳA5）。なお、駆動回路３７が第１発光部３１および第２発光部３２に供給する駆動信号の電流量を測定制御部４６が信号成分比Ｃに応じて可変に制御することも可能である。具体的には、信号成分比Ｃが閾値ＣTH1を下回る場合（低潅流状態）には、閾値ＣTH1を上回る場合と比較して大きい電流量に駆動信号が設定される。他方、信号成分比Ｃが閾値ＣTH2を上回る場合には、閾値ＣTH2を下回る場合と比較して小さい電流量に駆動信号が設定される。
【００３６】
図９は、前掲の数式(1)で算定される変動比Φと酸素飽和度Ｓとの関係を例示するグラフである。図９では、発受光間距離ｄを変化させた複数の場合の各々について変動比Φと酸素飽和度Ｓとの関係が併記されている。変動比Φと酸素飽和度Ｓとが相互に相関するという前述の傾向が図９から確認できる。具体的には、変動比Φが大きいほど酸素飽和度Ｓは低いという概略的な傾向がある。また、変動比Φと酸素飽和度Ｓとの関係は発受光間距離ｄに応じて変動する。以上の傾向を考慮して、第１実施形態の記憶装置２２は、図４に例示される通り、発受光間距離ｄの相異なる数値に対応する複数の相関テーブルＴを記憶する。任意の１個の発受光間距離ｄに対応する相関テーブルＴは、当該発受光間距離ｄのもとでの変動比Φと酸素飽和度Ｓとの各数値の対応（すなわち図９に例示された関係）が登録されたデータテーブルである。解析処理部４２の第２処理部４２２は、相異なる発受光間距離ｄに対応する複数の相関テーブルＴのうち、測定制御部４６が選択した発受光間距離ｄに対応した相関テーブルＴから、数式(1)で算定した変動比Φに対応する酸素飽和度Ｓを測定結果として特定する。
【００３７】
以上に例示した通り、第１実施形態では、発受光間距離ｄが可変であるから、測定部位Ｍの状態が変化した場合（例えば低潅流状態）でも酸素飽和度Ｓを高精度に測定することが可能である。第１実施形態では特に、酸素飽和度Ｓの特定に利用される信号成分比Ｃが発受光間距離ｄの選定に流用される。したがって、酸素飽和度Ｓの特定とは無関係の指標に応じて発受光間距離ｄを設定する構成と比較して、発受光間距離ｄを制御するための構成や処理が簡素化されるという利点がある。
【００３８】
第１実施形態では、信号成分比Ｃが閾値ＣTH1を下回る場合に発受光間距離ｄが増加するから、低潅流状態でも酸素飽和度Ｓを高精度に測定することが可能である。また、信号成分比Ｃが閾値ＣTH2を上回る場合には発受光間距離ｄが減少するから、第１発光部３１および第２発光部３２を発光させるために必要な電流量を削減することが可能である。
【００３９】
＜第２実施形態＞
本発明の第２実施形態を説明する。以下に例示する各態様において作用や機能が第１実施形態と同様である要素については、第１実施形態の説明で使用した符号を流用して各々の詳細な説明を適宜に省略する。
【００４０】
第２実施形態の測定装置１００は、第１実施形態の検出装置２８Aを図１０の検出装置２８Bに置換した構成である。図１０に例示される通り、第２実施形態の第１発光部３１は、Ｘ方向に配列する複数の発光素子ＥA[n]で構成され、第２発光部３２は、Ｘ方向に配列する複数の発光素子ＥB[n]で構成される（ｎ＝１,２,３）。すなわち、複数の発光素子ＥA[n]の間で受光部３５からの距離は相違し、複数の発光素子ＥB[n]の間で受光部３５からの距離は相違する。他方、受光部３５は１個の受光素子Ｒで構成される。第２実施形態の測定制御部４６は、駆動回路３７が駆動する発光素子ＥA[n]および発光素子ＥB[n]を選択する（複数の発光素子ＥA[n]の何れかおよび複数の発光素子ＥB[n]の何れかを選択的に発光させる）ことで発受光間距離ｄを可変に制御する。
【００４１】
具体的には、信号成分比Ｃが閾値ＣTH1を下回る場合（ＳA1：YES）、測定制御部４６は、発光素子ＥA[3]および発光素子ＥB[3]を選択して駆動回路３７に駆動させることで発受光間距離ｄを距離ｄ3に設定する（ＳA2）。他方、信号成分比Ｃが閾値ＣTH2を上回る場合（ＳA3：YES）、測定制御部４６は、発光素子ＥA[1]および発光素子ＥB[1]を選択して駆動回路３７に駆動させることで発受光間距離ｄを距離ｄ1に設定する（ＳA4）。また、信号成分比Ｃが閾値ＣTH1と閾値ＣTH2との間の数値である場合（ＳA3：NO）、測定制御部４６は、発光素子ＥA[2]および発光素子ＥB[2]を選択して駆動回路３７に駆動させることで発受光間距離ｄを距離ｄ2に設定する。以上の例示から理解される通り、第２実施形態においても第１実施形態と同様の効果が実現される。
【００４２】
なお、複数の受光素子Ｒ[n]の何れかを選択する第１実施形態の構成と、複数の発光素子ＥA[n]の何れかおよび複数の発光素子ＥB[n]の何れかを選択する第２実施形態の構成との双方を採用することも可能である。具体的には、測定制御部４６は、第１発光部３１の複数の発光素子ＥA[n]の何れかと第２発光部３２の複数の発光素子ＥB[n]の何れかとを選択し、かつ、受光部３５の複数の受光素子Ｒ[n]の何れかを選択する。発光素子ＥA[n]と発光素子ＥB[n]と受光素子Ｒ[n]との組合せに応じて発受光間距離ｄが可変に設定される。
【００４３】
＜第３実施形態＞
第３実施形態では、第１実施形態の検出装置２８Aが図１１の検出装置２８Cに置換される。検出装置２８Cは、第１発光部３１と第２発光部３２と受光部３５とに加えて支持体５２と移動体５４とを具備する。第１発光部３１は１個の発光素子ＥAで構成され、第２発光部３２は１個の発光素子ＥBで構成される。また、受光部３５は１個の受光素子Ｒで構成される。
【００４４】
第１発光部３１と第２発光部３２とは移動体５４に設置される。支持体５２は移動体５４を支持する。具体的には、移動体５４は、Ｘ方向に移動可能な状態で支持体５２に支持される。利用者は、移動体５４を適宜に操作することで、支持体５２に対してＸ方向の任意の位置に移動体５４を移動させることが可能である。第１発光部３１および第２発光部３２は、移動体５４とともにＸ方向に移動する。他方、支持体５２に対する受光部３５の位置は固定である。以上の説明から理解される通り、利用者は手動で発受光間距離ｄを変更することが可能である。
【００４５】
図１２は、第３実施形態における測定装置１００の機能に着目した構成図である。図１２に例示される通り、第３実施形態の測定装置１００の制御装置２０は、第１実施形態と同様の解析処理部４２および情報報知部４４に加えて操作指示部４８として機能する。すなわち、第３実施形態では第１実施形態の測定制御部４６が操作指示部４８に置換される。解析処理部４２が検出信号Ｐから酸素飽和度Ｓを特定する処理、および、情報報知部４４が測定結果を利用者に報知する処理は、第１実施形態と同様である。
【００４６】
操作指示部４８は、発受光間距離ｄの変更の指示（以下「変更指示」という）を利用者に報知する。具体的には、操作指示部４８は、解析処理部４２が算定する信号成分比Ｃ（Ｃ1，Ｃ2）に応じた発受光間距離ｄの変更指示を表示装置２４に表示させる。図１３は、操作指示部４８が変更指示を利用者に報知する処理のフローチャートである。例えば酸素飽和度Ｓの測定が利用者から指示された場合に図１３の処理が開始される。
【００４７】
図１３の処理を開始すると、操作指示部４８は、信号成分比Ｃ（信号成分比Ｃ1または信号成分比Ｃ2）が閾値ＣTH1を下回るか否かを判定する（ＳB1）。信号成分比Ｃが閾値ＣTH1を下回る場合（ＳB1：YES）、すなわち測定部位Ｍが低潅流状態にあると推定できる場合、操作指示部４８は、発受光間距離ｄを増加させる変更指示を利用者に報知する（ＳB2）。例えば、「発光位置を受光位置から離して下さい」等のメッセージが変更指示として表示装置２４に表示される。変更指示を確認した利用者は、移動体５４をＸ方向の負側に移動させることで発受光間距離ｄを増加させる。以上の手順で発受光間距離ｄが充分に確保されるから、低潅流状態でも充分な信号成分比Ｃを確保して高精度に酸素飽和度Ｓを測定することが可能である。発受光間距離ｄが増加した場合、駆動回路３７は駆動信号の電流量を増加させる。
【００４８】
信号成分比Ｃが閾値ＣTH1を上回る場合（ＳB1：NO）、操作指示部４８は、信号成分比Ｃ（信号成分比Ｃ1または信号成分比Ｃ2）が閾値ＣTH2を上回るか否かを判定する（ＳB3）。第１実施形態と同様に、閾値ＣTH2は、閾値ＣTH1を上回る数値（例えば０.４）に設定される。信号成分比Ｃが閾値ＣTH2を上回る場合（ＳB3：YES）、操作指示部４８は、発受光間距離ｄを減少させる変更指示を利用者に報知する（ＳB4）。例えば、「発光位置を受光位置に近付けて下さい」等のメッセージが変更指示として表示装置２４に表示される。変更指示を確認した利用者は、移動体５４をＸ方向の正側に移動させることで発受光間距離ｄを減少させる。発受光間距離ｄが減少した場合、駆動回路３７は駆動信号の電流量を減少させる。他方、信号成分比Ｃが閾値ＣTH1と閾値ＣTH2との間の数値である場合（ＳB3：NO）、操作指示部４８は、利用者に変更指示を報知しない。したがって、発受光間距離ｄは変更されることなく維持される。
【００４９】
以上に例示した通り、第３実施形態では、第１実施形態と同様に、発受光間距離ｄが可変であるから、測定部位Ｍの状態が変化した場合（例えば低潅流状態）でも酸素飽和度Ｓを高精度に測定することが可能である。第３実施形態では特に、酸素飽和度Ｓの特定に利用される信号成分比Ｃが利用者に対する変更指示に流用される。したがって、酸素飽和度Ｓの特定とは無関係の指標に応じて変更指示の要否を判定する構成と比較して、変更指示を利用者に報知するための構成や処理が簡素化されるという利点がある。
【００５０】
第３実施形態では、信号成分比Ｃが閾値ＣTH1を下回る場合に、発受光間距離ｄを増加させる変更指示が利用者に付与されるから、低潅流状態でも酸素飽和度Ｓを高精度に測定することが可能である。また、信号成分比Ｃが閾値ＣTH2を上回る場合には、発受光間距離ｄを減少させる変更指示が利用者に付与されるから、第１発光部３１および第２発光部３２を発光させるために必要な電流量を削減することが可能である。
【００５１】
＜第４実施形態＞
第４実施形態では、第３実施形態の検出装置２８Cが図１４の検出装置２８Dに置換される。検出装置２８Dは、第１発光部３１と第２発光部３２と受光部３５と支持体５２と移動体５４とを具備する。第１発光部３１は、発光素子ＥAと導光部５８１とを具備する。導光部５８１は、発光素子ＥAからの出射光を測定部位Ｍ側に導く光学素子である。第２発光部３２は、発光素子ＥBと導光部５８２とを具備する。導光部５８２は、発光素子ＥBからの出射光を測定部位Ｍ側に導く光学素子である。発光素子ＥAおよび発光素子ＥBは支持体５２に設置され、導光部５８１および導光部５８２は移動体５４に設置される。なお、導光部５８１と導光部５８２とを一体に構成することも可能である。受光部３５は、第３実施形態と同様に１個の受光素子Ｒで構成される。
【００５２】
第３実施形態と同様に、移動体５４は、Ｘ方向に移動可能な状態で支持体５２に支持される。利用者は、移動体５４を適宜に操作することで、支持体５２に対してＸ方向の任意の位置に移動体５４を移動させることが可能である。発光素子ＥAおよび発光素子ＥBの位置は固定である一方、導光部５８１および導光部５８２は移動体５４とともにＸ方向に移動する。他方、支持体５２に対する受光部３５の位置は固定である。
【００５３】
第４実施形態では、導光部５８１が第１発光部３１の発光位置に相当し、導光部５８２が第２発光部３２の発光位置に相当する。したがって、第４実施形態の発受光間距離ｄは、導光部５８１および導光部５８２の各々と受光部３５との距離である。以上の説明から理解される通り、第４実施形態では、第３実施形態と同様に、利用者が手動で発受光間距離ｄを変更することが可能である。
【００５４】
制御装置２０（解析処理部４２，情報報知部４４，操作指示部４８）の動作は第３実施形態と同様である。例えば、操作指示部４８は、信号成分比Ｃが閾値ＣTH1を下回る場合に発受光間距離ｄの増加を利用者に指示し、信号成分比Ｃが閾値ＣTH2を上回る場合に発受光間距離ｄの減少を利用者に指示する。したがって、第４実施形態においても第３実施形態と同様の効果が実現される。
【００５５】
＜第５実施形態＞
第１実施形態から第４実施形態では、測定部位Ｍの潅流の度合の指標として信号成分比Ｃを利用したが、測定部位Ｍの潅流の度合は、測定部位Ｍの皮膚温度または環境温度（例えば測定装置１００が使用される環境の温度）にも依存する。具体的には、皮膚温度または環境温度が低いほど測定部位Ｍの潅流は低下する。以上の事情を考慮して、第５実施形態および第６実施形態では、測定部位Ｍの潅流の度合に影響し得る皮膚温度または環境温度等の温度（以下「参照温度」という）を、測定部位Ｍの潅流の度合の指標として信号成分比Ｃの代わりに利用する。概略的には、第５実施形態は、第１実施形態の信号成分比Ｃを参照温度に代替した構成であり、第６実施形態は、第３実施形態の信号成分比Ｃを参照温度に代替した構成である。
【００５６】
図１５は、第５実施形における測定装置１００の構成図である。図１５に例示される通り、第５実施形態の測定装置１００は、第１実施形態と同様の要素に温度検出部７０を追加した構成である。温度検出部７０は、測定部位Ｍの皮膚温度または測定装置１００の周囲の環境温度を参照温度ＫREFとして検出する温度センサーである。第５実施形態の測定制御部４６は、温度検出部７０が検出した参照温度ＫREFに応じて発受光間距離ｄを可変に制御する。
【００５７】
前述の通り、参照温度ＫREFが低いほど測定部位Ｍの潅流は低下するという傾向が想定される。以上の傾向を考慮して、第５実施形態の測定制御部４６は、参照温度ＫREFが所定の閾値ＫTH1を下回る場合（すなわち測定部位Ｍが低潅流状態にあると推定される場合）に発受光間距離ｄを増加させる。図７から理解される通り、皮膚温度が３０℃を下回る範囲では、信号成分比Ｃ1が０.２以下に抑制され、結果的に測定誤差を充分に低減することが困難となる。以上の傾向を考慮すると、閾値ＫTH1を３０℃に設定し、皮膚温度である参照温度ＫREFが閾値ＫTH1を下回る場合に発受光間距離ｄを増加させる構成が好適である。他方、参照温度ＫREFが閾値ＫTH2（ＫTH2＞ＫTH1）を上回る場合、測定制御部４６は発受光間距離ｄを減少させる。
【００５８】
第５実施形態においても第１実施形態と同様に、測定部位Ｍの状態が変化した場合（例えば低潅流状態）でも酸素飽和度Ｓを高精度に測定できるという利点がある。なお、以上の説明では第１実施形態を基礎として第５実施形態を説明したが、温度検出部７０が検出した参照温度ＫREFに応じて発受光間距離ｄを可変に制御する第５実施形態の構成は、図１０の検出装置２８Bを利用した第２実施形態にも同様に適用され得る。
【００５９】
＜第６実施形態＞
図１６は、第６実施形における測定装置１００の構成図である。図１６に例示される通り、第６実施形態の測定装置１００は、第３実施形態と同様の要素に温度検出部７０を追加した構成である。温度検出部７０は、第５実施形態と同様に、測定部位Ｍの皮膚温度または測定装置１００の周囲の環境温度を参照温度ＫREFとして検出する温度センサーである。
【００６０】
第６実施形態の操作指示部４８は、温度検出部７０が検出した参照温度ＫREFに応じて発受光間距離ｄの変更指示を利用者に報知する。具体的には、参照温度ＫREFが所定の閾値ＫTH1を下回る場合（すなわち測定部位Ｍが低潅流状態にあると推定される場合）、測定制御部４６は、発受光間距離ｄを増加させる変更指示を利用者に報知する。他方、参照温度ＫREFが閾値ＫTH2（ＫTH2＞ＫTH1）を上回る場合、測定制御部４６は、発受光間距離ｄを減少させる変更指示を利用者に報知する。
【００６１】
第６実施形態においても第３実施形態と同様に、測定部位Ｍの状態が変化した場合（例えば低潅流状態）でも酸素飽和度Ｓを高精度に測定できるという利点がある。なお、以上の説明では第３実施形態を基礎として第６実施形態を説明したが、温度検出部７０が検出した参照温度ＫREFに応じて変更指示を利用者に報知する第６実施形態の構成は、図１４の検出装置２８Dを利用した第４実施形態にも同様に適用され得る。
【００６２】
＜変形例＞
以上に例示した各形態は多様に変形され得る。具体的な変形の態様を以下に例示する。以下の例示から任意に選択された２以上の態様を適宜に併合することも可能である。
【００６３】
（１）前述の各形態では、閾値ＣTH1および閾値ＣTH2を固定値に設定したが、所定の条件に応じて変動する可変値を閾値ＣTH1および閾値ＣTH2として利用することも可能である。例えば、測定装置１００の動作モードに応じて閾値ＣTH1または閾値ＣTH2を可変に設定する構成が好適である。
【００６４】
（２）前述の各形態では、解析処理部４２が相関テーブルＴを利用して酸素飽和度Ｓを特定したが、酸素飽和度Ｓを特定する方法は以上の例示に限定されない。例えば、ランベルト・ベールの法則を利用して導出された演算式に変動比Φを適用することで、解析処理部４２が酸素飽和度Ｓを演算することも可能である。
【００６５】
（３）第３実施形態および第４実施形態では、変更指示を表示装置２４に表示させたが、変更指示を利用者に報知するための方法は以上の例示に限定されない。例えば、発光素子の点灯により変更指示を利用者に報知する構成、音声出力で変更指示を利用者に報知する構成、または、所定のパターンの振動を利用者に付与することで変更指示を利用者に報知する構成も採用され得る。
【００６６】
（４）第３実施形態および第４実施形態では、第１発光部３１と第２発光部３２とが設置された移動体５４を利用者が手動で移動させる場合を例示したが、移動体５４を移動させるための構成は以上の例示に限定されない。例えば、モーター等のアクチュエータを含む駆動機構を動作させることで測定制御部４６が移動体５４を移動させることも可能である。具体的には、測定制御部４６は、信号成分比Ｃ（Ｃ1，Ｃ2）が閾値ＣTH1を下回る場合には、移動体５４をＸ方向の負側に移動させることで発受光間距離ｄを増加させる。他方、信号成分比Ｃが閾値ＣTH2を上回る場合、測定制御部４６は、移動体５４をＸ方向の正側に移動させることで発受光間距離ｄを減少させる。なお、第３実施形態（図１１）および第４実施形態（図１４）では、第１発光部３１および第２発光部３２が受光部３５に対して移動する構成を例示したが、以上の構成に代えて（または以上の構成とともに）、第１発光部３１および第２発光部３２に対して受光部３５が移動し得る構成も好適である。
【００６７】
（５）前述の各形態では、測定装置１００に搭載された解析処理部４２が酸素飽和度Ｓを特定したが、測定装置１００とは別個の装置により酸素飽和度Ｓを特定することも可能である。例えば、測定装置１００と通信可能な端末装置（例えば携帯電話機またはスマートフォン）が酸素飽和度Ｓを特定および表示する構成が想定される。具体的には、端末装置は、測定装置１００から検出信号Ｐを受信し、当該検出信号Ｐから、前述の各形態で例示した方法により酸素飽和度Ｓを算定する。以上の説明から理解される通り、解析処理部４２および情報報知部４４は測定装置１００から省略され得る。測定制御部４６を端末装置に設置することも可能である。以上の通り、解析処理部４２、情報報知部４４および測定制御部４６の少なくともひとつを端末装置に設置した構成（例えば端末装置が実行されるアプリケーションで各要素が実現される構成）も採用され得る。また、記憶装置２２および操作装置２６の一方または双方を端末装置に設置することも可能である。
【００６８】
（６）前述の各形態では、被験者の手首に装着可能な測定装置１００を例示したが、測定装置１００の具体的な形態（装着位置）は任意である。例えば、被験者の身体に貼付可能なパッチ型，被験者の耳介に装着可能なイヤリング型，被験者の指先に装着可能な指装着型（例えば着爪型），被験者の頭部に装着可能なヘッドマウント型等、任意の形態の測定装置１００が採用され得る。ただし、例えば指装着型等の測定装置１００を装着した状態では日常生活に支障がある可能性が想定されるから、日常生活に支障なく常時的に酸素飽和度Ｓを測定するという観点からは、被験者の手首に装着可能な前述の各形態の測定装置１００が特に好適である。なお、腕時計等の各種の電子機器に装着（例えば外付け）される形態の測定装置１００も実現され得る。
【００６９】
（７）前述の各形態では酸素飽和度Ｓを測定したが、生体情報の種類は以上の例示に限定されない。例えば、脈拍や血流速，血圧を生体情報として測定する構成、および、血中グルコース濃度，ヘモグロビン濃度，血中酸素濃度，中性脂肪濃度等の各種の血液成分濃度を生体情報として測定する構成も採用され得る。なお、血流速を生体情報として測定する構成では、共振器による共振を経て射出される狭帯域でコヒーレントなレーザー光を出射するレーザー照射器が第１発光部３１および第２発光部３２として好適に利用される。
【符号の説明】
【００７０】
１００…測定装置、１２…筐体部、１４…ベルト、２０…制御装置、２２…記憶装置、２４…表示装置、２６…操作装置、２８A，２８B，２８C，２８D…検出装置、３１…第１発光部、３２…第２発光部、３５…受光部、３７…駆動回路、３８…Ａ/Ｄ変換器、４２…解析処理部、４４…情報報知部、４６…測定制御部、４８…操作指示部、ＥA，ＥB，ＥA[n]，ＥB[n]…発光素子、Ｒ，Ｒ[n]…受光素子、５２…支持体、５４…移動体、５８１，５８２…導光部、７０…温度検出部。
【図１】
2018011648.tif 000004
【図２】
2018011648.tif 000005
【図３】
2018011648.tif 000006
【図４】
2018011648.tif 000007
【図５】
2018011648.tif 000008
【図６】
2018011648.tif 000009
【図７】
2018011648.tif 000010
【図８】
2018011648.tif 000011
【図９】
2018011648.tif 000012
【図１０】
2018011648.tif 000013
【図１１】
2018011648.tif 000014
【図１２】
2018011648.tif 000015
【図１３】
2018011648.tif 000016
【図１４】
2018011648.tif 000017
【図１５】
2018011648.tif 000018
【図１６】
2018011648.tif 000019